(57)【特許請求の範囲】
【請求項１】
硬貨を収納する金庫と、
金種ごとに前記硬貨を収納する硬貨収納部と、
前記硬貨を返却する返却口と、
前記硬貨を一時保留する一時保留機構部と、
正貨と識別された前記硬貨を前記硬貨収納部、または前記一時保留機構部に振り分けるよう、前記硬貨の通路に進退可能なゲートを有する第１振り分け機構部と、
一時保留された前記硬貨を前記金庫、前記硬貨収納部、または前記返却口に振り分けるよう、前記硬貨の通路に進退可能なゲートを有する第２振り分け機構部と、
商品販売時に一時保留されている前記硬貨を、前記金庫、前記硬貨収納部のいずれに振り分けるかの設定を切り替え可能な切り替え手段と、
第１の金種の硬貨を、前記第１振り分け機構部により前記硬貨収納部に振り分けて、前記硬貨収納部に収納するよう前記ゲートの動作を制御し、第２の金種の硬貨を、前記第２振り分け機構部により前記硬貨収納部に振り分けて、前記硬貨収納部に収納するよう前記ゲートの動作を制御する振り分け機構制御部と、を備え、
前記振り分け機構制御部は、
前記硬貨収納部が満杯で前記第１の金種の硬貨を収納できない場合は、前記第１の金種の硬貨を前記金庫へと導く通路に案内するよう前記ゲートの動作を制御し、
前記切り替え手段によって前記硬貨を前記金庫へ導く設定に切り替えられている場合は、前記第２の金種の硬貨を前記金庫へと導く通路に案内するよう前記ゲートの動作を制御し、
前記切り替え手段によって前記硬貨を前記硬貨収納部へ導く設定に切り替えられている場合は、前記第２の金種の硬貨を前記硬貨収納部へと導く通路に案内するが、前記硬貨収納部が満杯で前記第２の金種を収納できない場合は、前記第２の金種の硬貨を前記金庫へと導く通路に案内するよう前記ゲートの動作を制御する、
ことを特徴とする硬貨処理装置。
【請求項２】
前記第２振り分け機構部が有する前記ゲートは、前記硬貨を前記金庫に導く通路と前記硬貨収納部に導く通路との分岐点と、前記硬貨を前記硬貨収納部に導く通路と前記返却口へ導く通路との分岐点とに、それぞれ揺動可能に配置されていることを特徴とする請求項１記載の硬貨処理装置。
【請求項３】
前記ゲートを前記振り分け機構制御部からの駆動信号に応じて揺動させるソレノイドを有することを特徴とする請求項１記載の硬貨処理装置。
【請求項４】
前記第２振り分け機構部が有する前記ゲートは、前記硬貨を前記硬貨収納部に導く場合に、前記硬貨を前記金庫に導く通路と前記返却口へ導く通路とを塞ぐよう制御されることを特徴とする請求項１記載の硬貨処理装置。
【請求項５】
前記第２振り分け機構部が有する前記ゲートは、前記硬貨を前記金庫に導く場合に、前記硬貨を前記硬貨収納部に導く通路と前記返却口へ導く通路とを塞ぐよう制御されることを特徴とする請求項１記載の硬貨処理装置。
【請求項６】
前記第２の金種の硬貨は、前記硬貨処理装置で受け付け可能な最高金額の金種であることを特徴とする請求項１記載の硬貨処理装置。
【請求項７】
自動販売機に内蔵されていることを特徴とする請求項１記載の硬貨処理装置。
【発明の詳細な説明】
【０００１】
【発明の属する技術分野】
本発明は硬貨処理装置に関し、特に自動販売機などに内蔵される硬貨処理装置に関する。
【０００２】
【従来の技術】
自動販売機などの硬貨を扱う装置では、投入された硬貨の真贋および金種を識別した後、その硬貨を一時保留しておき、商品の販売後あるいは釣銭や返却の指令に基づいて、その硬貨の行き先を振り分ける硬貨処理装置が内蔵されている。
【０００３】
このような硬貨処理装置は、主に、投入された硬貨を識別してその金種に応じて行き先を振り分け、必要に応じてその硬貨を一時保留する硬貨識別装置、振り分けられた硬貨を収納する硬貨収納装置、および釣銭や返却の指令に基づいて収納されている硬貨を払い出す硬貨払い出し装置から構成されている。
【０００４】
特開平２００１−１６０１７１号公報では、このような硬貨処理装置を制御するための硬貨処理制御装置が提案されている。この提案によれば、投入され一時保留された硬貨は、商品が販売されることなく返却ボタンが押された場合には、一時保留が解除され、返却口へと送られる。
【０００５】
一方、商品の販売がなされた場合には、一時保留が解除され、硬貨収納装置へと送られる。硬貨収納装置は、硬貨を収納する硬貨収納部に、硬貨を金種ごとに収納する硬貨チューブを有しており、硬貨収納装置へ送られてきた硬貨は、硬貨識別装置の識別結果に基づいて、硬貨収納部の各硬貨チューブの下から順に収納されて行く。ここで、商品の販売がなされ、一時保留が解除された場合に、この硬貨の金種の硬貨チューブが満杯である場合には、この硬貨は金庫に収納される。
【０００６】
そして、商品の販売がなされた結果、釣銭が必要な場合は、硬貨払い出し装置が、釣銭として払い出される金種の硬貨が収納されている硬貨チューブの最下部から、必要枚数の硬貨を放出する。このように、硬貨処理装置のための硬貨処理制御装置は、投入された個々の硬貨の行き先を、その金種や指令に基づいて制御する。
【０００７】
【発明が解決しようとする課題】
しかしながら、従来の硬貨処理装置において、高額金種の硬貨は、釣銭として使用される機会が少ないため、多くの枚数を硬貨チューブに収納しておく必要がない。
【０００８】
高額金種の硬貨が釣銭として使用されず、硬貨チューブなどに多くの枚数が収納されていると、硬貨処理装置が備える金庫に収納しておく場合に比べ、万一盗難に遭ったり不正操作がなされたりした場合などに、それだけ被害が大きくなる可能性がある。
【０００９】
また、紙幣を使用しない自動販売機などに内蔵される硬貨処理装置にあっては、最高金額の硬貨は、全く釣銭として使用する機会がなく、このような硬貨を釣銭として払い出す目的で硬貨収納部の硬貨チューブなどに収納しておく必要がない。
【００１０】
本発明はこのような点に鑑みてなされたものであり、商品販売時に、投入された所定の金種の硬貨は金庫へと導き、不正行為による損害を少なくするような硬貨処理装置を提供することを目的とする。
【００１１】
【課題を解決するための手段】
本発明では上記問題を解決するために、硬貨を収納する金庫と、金種ごとに硬貨を収納する硬貨収納部と、硬貨を返却する返却口と、硬貨を一時保留する一時保留機構部と、正貨と識別された硬貨を硬貨収納部、または一時保留機構部に振り分けるよう、硬貨の通路に進退可能なゲートを有する第１振り分け機構部と、一時保留された硬貨を金庫、硬貨収納部、または返却口に振り分けるよう、硬貨の通路に進退可能なゲートを有する第２振り分け機構部と、商品販売時に一時保留されている硬貨を、金庫、硬貨収納部のいずれに振り分けるかの設定を切り替え可能な切り替え手段と、第１の金種の硬貨を、第１振り分け機構部により硬貨収納部に振り分けて、硬貨収納部に収納するようゲートの動作を制御し、第２の金種の硬貨を、第２振り分け機構部により硬貨収納部に振り分けて、硬貨収納部に収納するようゲートの動作を制御する振り分け機構制御部と、を備え、振り分け機構制御部は、硬貨収納部が満杯で第１の金種の硬貨を収納できない場合は、第１の金種の硬貨を金庫へと導く通路に案内するようゲートの動作を制御し、切り替え手段によって硬貨を金庫へ導く設定に切り替えられている場合は、第２の金種の硬貨を金庫へと導く通路に案内するようゲートの動作を制御し、切り替え手段によって硬貨を硬貨収納部へ導く設定に切り替えられている場合は、第２の金種の硬貨を硬貨収納部へと導く通路に案内するが、硬貨収納部が満杯で第２の金種を収納できない場合は、第２の金種の硬貨を金庫へと導く通路に案内するようゲートの動作を制御する、ことを特徴とする硬貨処理装置が提供される。
【００１２】
このような硬貨処理装置によれば、振り分け機構制御部が、切り替え手段による設定に基づいて、第１振り分け機構部および第２振り分け機構部のゲートの動作を制御する。この切り替え手段によって、振り分け機構制御部は、第１の金種の硬貨を、第１振り分け機構部により硬貨収納部に振り分けて、硬貨収納部に収納するようゲートの動作を制御し、第２の金種の硬貨を、第２振り分け機構部により硬貨収納部に振り分けて、硬貨収納部に収納するようゲートの動作を制御し、硬貨収納部が満杯で第１の金種の硬貨を収納できない場合は、第１の金種の硬貨を金庫へと導く通路に案内するようゲートの動作を制御し、切り替え手段によって硬貨を金庫へ導く設定に切り替えられている場合は、第２の金種の硬貨を金庫へと導く通路に案内するようゲートの動作を制御し、切り替え手段によって硬貨を硬貨収納部へ導く設定に切り替えられている場合は、第２の金種の硬貨を硬貨収納部へと導く通路に案内するが、硬貨収納部が満杯で第２の金種を収納できない場合は、第２の金種の硬貨を金庫へと導く通路に案内するようゲートの動作を制御する。これにより、商品の販売が行われた場合に、一時保留機構部で保留されている硬貨を、必要に応じて、硬貨収納部へは振り分けず、金庫へ導いて収納することができるようになる。例えば、投入された硬貨のうち硬貨処理装置で受け付け可能な最高金種の硬貨を、すべて金庫へ導いて収納しておくことができるようになる。
【００１３】
【発明の実施の形態】
以下、本発明の実施の形態を、自動販売機の硬貨処理装置に適用した場合を例に図面を参照して詳細に説明する。
【００１４】
図１は硬貨処理装置の構成ブロック図である。硬貨処理装置１０は、硬貨が投入された場合に、硬貨を一時的に保留しておく一時保留機構部１１と、投入された硬貨の行き先を振り分ける振り分け機構部１２と、振り分け機構部１２によって振り分けられた硬貨を収納する硬貨収納部１３および金庫１４と、投入された硬貨や釣銭が返却される返却口１５と、一時保留機構部１１に保留されている硬貨の振り分け先の設定を切り替え可能な切り替え手段１６と、振り分け機構部１２の動作を制御する硬貨処理制御装置１７とから構成されている。
【００１５】
硬貨処理装置１０は、硬貨投入後、商品販売時には、振り分け機構部１２によって、一時保留機構部１１に保留されている硬貨を硬貨収納部１３または金庫１４に導き、返却時には保留されている硬貨を返却口１５に導く。
【００１６】
また、この硬貨処理装置１０が備える硬貨収納部１３は、振り分け機構部１２によって振り分けられた硬貨を、釣銭用あるいは返却用の硬貨として、必要に応じて払い出し可能に収納する。一方、金庫１４は、一旦収納された硬貨を、収金時以外には取り出すことができないように構成されており、金庫１４に収納された硬貨が釣銭用あるいは返却用の硬貨として使用されることはない。
【００１７】
このような硬貨処理装置１０の硬貨処理制御装置１７は、振り分け機構部１２での硬貨の振り分け機構を制御する振り分け機構制御部１７ａを有している。振り分け機構制御部１７ａは、一時保留機構部１１に一時保留されている硬貨を、商品販売時に発生する販売指令、硬貨収納部１３の収納硬貨の枚数が収納できる最大枚数に達しているかどうかを示す硬貨収納枚数状況、および硬貨投入後に商品の販売を行わない結果発生する返却指令に基づいて、硬貨収納部１３、金庫１４または返却口１５へと行き先を振り分けるよう、振り分け機構部１２の制御を行う。
【００１８】
さらに、振り分け機構制御部１７ａは、投入され、一時保留される前の硬貨についても、販売指令、硬貨収納枚数状況および返却指令に基づいて、一時保留機構部１１、硬貨収納部１３、金庫１４または返却口１５へと行き先を振り分けるよう、振り分け機構部１２の振り分け機構の制御を行うようになっている。
【００１９】
この振り分け機構制御部１７ａは、一時保留機構部１１に保留されている硬貨の、商品販売時における振り分け機構部１２の振り分け機構を、切り替え手段１６による設定に基づいて制御する。この切り替え手段１６による設定が、保留されている硬貨を金庫１４に導く金庫収納モードになっている場合には、硬貨収納部１３および返却口１５へ硬貨を導く通路を塞ぎ、設定が、保留されている硬貨を原則的には硬貨収納部１３に導く通常モードになっている場合には、金庫１４および返却口１５へ硬貨を導く通路を塞ぐよう、振り分け機構が制御される。
【００２０】
図２は硬貨処理装置の正面図である。硬貨処理装置１０は、自動販売機に内蔵される装置であり、主に、硬貨識別装置２１、硬貨収納装置２２および硬貨払い出し装置２３から構成されている。
【００２１】
硬貨識別装置２１は、硬貨投入口２１ａから投入された硬貨の真贋および金種を識別し、所定の金種の硬貨を一時保留する。その後、硬貨は、硬貨収納装置２２の各硬貨チューブ２２ａ，２２ｂ，２２ｃ，２２ｄ、あるいは図示しない金庫、返却口に振り分けられる。ここで、硬貨チューブ２２ａ，２２ｂ，２２ｃ，２２ｄは、それぞれ５００円硬貨、１００円硬貨、１０円硬貨、５０円硬貨を収納する硬貨チューブである。また、硬貨チューブ２２ｅは、補助釣銭用のチューブであり、釣銭専用の硬貨が収納される。硬貨払い出し装置２３は、硬貨チューブ２２ａ，２２ｂ，２２ｃ，２２ｄ，２２ｅに収納されている硬貨を、商品販売の結果生じる釣銭や、自動販売機の返却ボタンの操作による投入金額分の硬貨の返却など、必要に応じてその最下部から引き出し、自動販売機の利用者側に返却する。
【００２２】
次に、硬貨処理制御装置１７の制御機能について説明する。硬貨処理装置１０の硬貨処理制御装置１７は、図１に示したように、振り分け機構部１２を設定に基づいて制御する振り分け機構制御部１７ａを有している。
【００２３】
硬貨処理装置１０には、投入された硬貨を、各収納先まで導くための通路が設けられている。各通路の分岐点にはゲートが設けられており、各ゲートには、その先端付近に作用してゲートを揺動させるソレノイドが設けられている。ソレノイドは、振り分け機構制御部１７ａからの駆動信号に応じて動作し、各ゲートを硬貨の通路に進退させ、硬貨の進路を切り替える。これにより、硬貨処理装置１０では、投入された硬貨が、その金種に応じて振り分けられる。このとき、所定の金種の硬貨は、一時保留機構部１１で一時保留された後、各指令、設定に基づいて振り分けられる。
【００２４】
ここで、一時保留機構部１１で一時保留する硬貨としては、すべての金種の硬貨を対象とする。もちろん、釣銭として使用される機会の少ない、あるいは硬貨処理装置１０で受け付け可能な最高金額の金種の硬貨であって釣銭として使用される機会のない、例えば５００円硬貨などの高額金種の硬貨を対象とするよう構成してもよい。
【００２５】
以下では、硬貨処理装置１０が、５００円硬貨を一時保留するように構成されている場合を例にして説明する。まず、一時保留前の振り分け機構について説明する。図３は硬貨識別装置の正面図である。ただし、図３においては、正面板を取り外した状態で示している。
【００２６】
硬貨識別装置２１は、その硬貨投入口２１ａから硬貨が投入されると、基板３１の裏側に設けられているセンサ３２によって、硬貨の真贋および金種を識別する。センサ３２を通過した硬貨は、次に、ゲート３３を通過する。このとき、振り分け機構制御部１７ａは、ゲート３３に設けられたソレノイドを駆動させ、投入された硬貨が偽貨または不良硬貨である場合には、その硬貨をゲート３３の表側を通過させて、返却口へ導く通路に振り分ける。一方、硬貨が正貨であれば、振り分け機構制御部１７ａは、その硬貨をゲート３３の裏側を通過させてゲート３４に送る。
【００２７】
このゲート３４に送られてきた硬貨が１０円硬貨または５０円硬貨の場合には、振り分け機構制御部１７ａは、ゲート３４に設けられたソレノイドを駆動させ、硬貨をゲート３５側に振り分ける。ここで、このゲート３４に送られてきた硬貨が１０円硬貨であれば、振り分け機構制御部１７ａは、ゲート３５，３６に設けられたソレノイドをそれぞれ駆動させ、この１０円硬貨をゲート３５の裏側を通過させて、ゲート３６側に振り分け、さらに、ゲート３６の表側を通過させ、図２で示した１０円硬貨用の硬貨チューブ２２ｃに振り分ける。ただし、この硬貨チューブ２２ｃが満杯の場合には、振り分け機構制御部１７ａは、１０円硬貨をゲート３６の裏側を通過させて金庫側に振り分け、この１０円硬貨を金庫に収納する。
【００２８】
一方、ゲート３４に送られてきた硬貨が５０円硬貨であれば、振り分け機構制御部１７ａは、ゲート３５に設けられたソレノイドを駆動させ、この５０円硬貨をゲート３５の表側を通過させて、図２で示した５０円硬貨用の硬貨チューブ２２ｄに振り分ける。ただし、この硬貨チューブ２２ｄが満杯の場合には、ゲート３６側に振り分け、さらに、振り分け機構制御部１７ａがゲート３６に設けられたソレノイドを駆動させ、５０円硬貨をゲート３６の裏側を通過させて金庫側に振り分け、この５０円硬貨を金庫に収納する。
【００２９】
また、ゲート３４に送られた硬貨が１００円硬貨または５００円硬貨の場合には、振り分け機構制御部１７ａは、ゲート３４に設けられたソレノイドを駆動させ、その１００円硬貨または５００円硬貨をゲート３７側に振り分ける。ここで、ゲート３４に送られてきた硬貨が１００円硬貨であれば、振り分け機構制御部１７ａは、ゲート３７に設けられたソレノイドを駆動させ、この１００円硬貨をゲート３７の表側を通過させて、図２で示した１００円硬貨用の硬貨チューブ２２ｂに振り分ける。ただし、この硬貨チューブ２２ｂが満杯の場合には、ゲート３８ａ，３８ｂ側へ振り分ける。
【００３０】
一方、ゲート３４に送られてきた硬貨が５００円硬貨であれば、振り分け機構制御部１７ａは、ゲート３７に設けられたソレノイドを駆動させ、この５００円硬貨をゲート３７の裏側を通過させて、ゲート３８ａ，３８ｂ側へ振り分ける。
【００３１】
ゲート３８ａ，３８ｂに１００円硬貨または５００円硬貨が送られてきた場合、振り分け機構制御部１７ａは、ゲート３８ａ，３８ｂに設けられたソレノイドをそれぞれ駆動させ、ゲート３８ａ，３８ｂを動作する。そして、送られてきた１００円硬貨または５００円硬貨が、ゲート３８ａの表側を通過した場合には金庫に振り分けられ、この１００円硬貨または５００円硬貨は金庫に収納される。また、送られてきた硬貨が５００円硬貨であって、ゲート３８ａの裏側でゲート３８ｂの表側を通過した場合には、図２で示した５００円硬貨用の硬貨チューブ２２ａに振り分けられ、ゲート３８ｂの裏側を通過した場合には返却口に送られる。
【００３２】
ゲート３７とゲート３８ａ，３８ｂとの間には、投入された硬貨を一時的に保留するためのストッパ３９が設けられている。ここでは、ゲート３７通過後の５００円硬貨が、ストッパ３９によってその通路を塞がれ、一時保留されるように構成されている。そして、販売指令、返却指令に基づき、一時保留が解除された５００円硬貨が、ゲート３８ａ，３８ｂにて振り分けられる。
【００３３】
次に、投入された硬貨の一時保留機構について説明する。
図４は硬貨識別装置の一時保留機構部付近の側断面図である。ストッパ３９は、ソレノイド３９ａによって図面左右方向にスライド可能で、一時保留される硬貨の通路である一時保留通路４１内に進退可能に設けられている。すなわち、ストッパ３９は、ソレノイド３９ａがオフのときには図面右側に位置して一時保留通路４１を塞ぎ、ソレノイド３９ａがオンのときには図面左側に移動して一時保留通路４１から退避するように設けられている。通常、ソレノイド３９ａはオフになっており、ストッパ３９は一時保留通路４１を塞いだ状態になっている。このため、投入された５００円硬貨Ｃ１は、ストッパ３９によって一時保留通路４１の途中で落下が阻止される。こうして、ソレノイド３９ａがオンになるまでの間、５００円硬貨Ｃ１は一時保留通路４１内に一時的に保留される。
【００３４】
次に、一時保留された硬貨の振り分け機構を、図４を参照して説明する。
図４に示したように、ストッパ３９の下流には、ゲート３８ａ，３８ｂが配置されている。ゲート３８ａは、５００円硬貨Ｃ１を金庫へ導く通路である金庫側通路４２と、５００円硬貨Ｃ１を硬貨チューブへ導く通路である硬貨チューブ側通路４３との分岐点に揺動可能に配置されている。一方、ゲート３８ｂは、硬貨チューブ側通路４３と、５００円硬貨Ｃ１を返却口へ導く通路である返却口側通路４４との分岐点に揺動可能に配置されている。
【００３５】
振り分け機構制御部１７ａは、通常モードに設定されている場合には、ゲート３８ａが金庫側通路４２を塞ぎ、ゲート３８ｂが返却口側通路４４を塞いだ状態になるよう、ゲート３８ａ，３８ｂを制御する。一方、金庫収納モードに設定されている場合には、振り分け機構制御部１７ａは、ゲート３８ａが硬貨チューブ側通路４３を塞ぎ、ゲート３８ｂが返却口側通路４４を塞いだ状態になるよう、ゲート３８ａ，３８ｂを制御する。
【００３６】
この通常モードと金庫収納モードの設定の切り替えは、硬貨処理制御装置１７のプリント板などに設けられた切り替え用のボタンにより行うことができるようになっている。設定を金庫収納モードに切り替える際は、この切り替えボタンをオンの状態とし、設定を通常モードにしておく場合には、切り替えボタンをオフの状態としておく。
【００３７】
まず、通常モードでの振り分け機構について説明する。通常モードであって、５００円硬貨Ｃ１が一時保留されているときに商品の販売がなされ、さらに、５００円硬貨用の硬貨チューブが満杯でない場合には、ゲート３８ａ，３８ｂがそれぞれ金庫側通路４２、返却口側通路４４を塞いだ状態を維持する。そして、ソレノイド３９ａがオンとなり、ストッパ３９が一時保留通路４１を開放する。これにより、５００円硬貨Ｃ１は、一時保留通路４１を落下し、硬貨チューブ側通路４３を通って硬貨チューブに送られる。
【００３８】
さらに、通常モードで、５００円硬貨Ｃ１が一時保留されているときに商品の販売がなされ、さらに、５００円硬貨用の硬貨チューブが満杯である場合には、ゲート３８ｂは返却口側通路４４を塞いだまま、金庫側通路４２を塞いでいたゲート３８ａは揺動して硬貨チューブ側通路４３を塞ぐ。そして、ソレノイド３９ａがオンとなり、ストッパ３９が一時保留通路４１を開放する。これにより、５００円硬貨Ｃ１は、一時保留通路４１を落下し、ゲート３８ａで振り分けられ、金庫に送られる。
【００３９】
また、通常モードで、５００円硬貨Ｃ１が投入されてから商品が販売されることなく返却ボタンが押されると、ゲート３８ａは金庫側通路４２を塞いだまま、返却口側通路４４を塞いでいたゲート３８ｂが揺動して硬貨チューブ側通路４３を塞いだ後、ソレノイド３９ａがオンとなり、ストッパ３９が一時保留通路４１を開放する。これにより、５００円硬貨Ｃ１は、一時保留通路４１を落下し、ゲート３８ｂで振り分けられ、返却口に送られる。
【００４０】
次に、金庫収納モードでの振り分け機構について説明する。金庫収納モードであって、５００円硬貨Ｃ１が一時保留されているときに商品の販売がなされる場合には、ゲート３８ａ，３８ｂがそれぞれ硬貨チューブ側通路４３、返却口側通路４４を塞いだ状態にある。そして、ソレノイド３９ａがオンとなり、ストッパ３９が一時保留通路４１を開放する。これにより、５００円硬貨Ｃ１は、一時保留通路４１を落下し、ゲート３８ａで振り分けられ、金庫に送られる。
【００４１】
また、金庫収納モードで、５００円硬貨Ｃ１が投入されてから商品が販売されることなく返却ボタンが押されると、硬貨チューブ側通路４３を塞いでいたゲート３８ａが揺動して金庫側通路４２を塞ぎ、さらに、返却口側通路４４を塞いでいたゲート３８ｂが揺動して硬貨チューブ側通路４３を塞ぐ。その後、ソレノイド３９ａがオンとなり、ストッパ３９が一時保留通路４１を開放する。これにより、５００円硬貨Ｃ１は、一時保留通路４１を落下し、ゲート３８ｂで振り分けられ、返却口に送られる。
【００４２】
次に、一時保留されている複数枚の硬貨を１枚ずつ分離する機構について説明する。
図５は複数枚の硬貨を一時保留した一時保留機構部付近の側断面図である。ただし、図５では、一時保留されている硬貨を、５００円硬貨Ｃ２，Ｃ３の２枚とし、このうち５００円硬貨Ｃ２を金庫に送る場合について説明する。また、図５において、図４にて示した構成要素と同じ要素には同じ符号を付してその詳細は省略する。
【００４３】
一時保留通路４１には、一時保留通路４１内に突出または退避可能な分離レバー５０が設けられている。この分離レバー５０は、一時保留通路４１内に突出している場合は、１枚目の５００円硬貨Ｃ２に連なった２枚目の５００円硬貨Ｃ３の通路を塞ぎ、一方、一時保留通路４１内から退避している場合は、一時保留通路４１を開放して２枚目の５００円硬貨Ｃ３の落下移動を許容する。この分離レバー５０は、ストッパ３９と連動して動作するように構成されている。すなわち、ストッパ３９が一時保留通路４１を塞いで位置しているときは一時保留通路４１内から退避し、ストッパ３９が一時保留通路４１から退避しているときは一時保留通路４１内に突出するようになっている。
【００４４】
一時保留されていた５００円硬貨Ｃ２を金庫に送る場合、ゲート３８ａが揺動して硬貨チューブ側通路４３を塞ぎ、ソレノイド３９ａがオンとなる。これにより、ストッパ３９は、図面左方向に移動して一時保留通路４１から退避し、ストッパ３９によって一時保留されていた５００円硬貨Ｃ２は落下する。そして、このストッパ３９の動作に連動して、分離レバー５０が、一時保留通路４１に進入することにより、一時保留されていた２枚目の硬貨Ｃ３は、分離レバー５０によって落下移動が停止される。
【００４５】
このように、ストッパ３９と連動する分離レバー５０を設けたことにより、連なった一時保留硬貨のうち、先頭の硬貨を確実に１枚ずつ分離し、開放することができる。したがって、一時保留された個々の５００円硬貨に対して、振り分け先の制御が可能になる。例えば、２枚の５００円硬貨Ｃ２，Ｃ３が投入され、商品の販売がなされ、その結果、５００円硬貨Ｃ２を金庫側に、５００円硬貨Ｃ３を返却口側に送るというような振り分けを行うことができる。
【００４６】
次に、硬貨処理装置１０における商品販売時の処理の流れについて説明する。
図６は商品販売時の処理の全体的な流れを示すフローチャートである。まず、商品販売後に、例えば２枚以上の５００円硬貨が投入されて商品の販売がなされた場合など、５００円硬貨の返却が必要か否かが判断され（ステップＳ１）、必要と判断された場合には、一時保留されている５００円硬貨の返却処理が行なわれる（ステップＳ２）。また、ステップＳ１において、５００円硬貨の返却が必要ないと判断された場合には、他の金種の返却処理が行なわれる（ステップＳ３）。次いで、５００円硬貨が一時保留されているか否かが判断され（ステップＳ４）、５００円硬貨が一時保留されている場合には、金庫収納モードであるか否かが判断される（ステップＳ５）。金庫収納モードでない場合には、５００円硬貨用の硬貨チューブが満杯であるか否かが判断され（ステップＳ６）、５００円硬貨用の硬貨チューブが満杯でなければ、一時保留されている５００円硬貨を硬貨チューブに収納する（ステップＳ７）。また、ステップＳ５で金庫収納モードと判断された場合、およびステップＳ６で５００円硬貨用の硬貨チューブが満杯であると判断された場合には、一時保留されている５００円硬貨を金庫に送り（ステップＳ８）、処理を終了する。ステップＳ４で５００円硬貨が一時保留されていないと判断された場合も処理を終了する。
【００４７】
【発明の効果】
以上説明したように、本発明では、切り替え手段によって、商品販売時に一時保留されている硬貨が金庫へ導かれる設定に切り替えられている場合には、振り分け機構制御部は、硬貨を硬貨収納部に導く通路および返却口へ導く通路を塞ぐよう、第１振り分け機構部および第２振り分け機構部のゲートの動作を制御する。これにより、商品の販売が行われた場合に、一時保留機構部で保留されている硬貨を、必要に応じて、硬貨収納部へは振り分けず、金庫へ導いて収納することができるようになる。
【００４８】
さらに、投入された硬貨のうち、硬貨処理装置で受け付け可能な最高金種の硬貨を、すべて金庫へ導いて収納しておくことができるようになるので、防犯の観点から、硬貨処理装置のより効果的な運用が可能になる。
【図面の簡単な説明】
【図１】硬貨処理装置の構成の概略図である。
【図２】硬貨処理装置の正面図である。
【図３】硬貨識別装置の正面図である。
【図４】硬貨識別装置の一時保留機構部付近の側断面図である。
【図５】複数枚の硬貨を一時保留した一時保留機構部付近の側断面図である。
【図６】商品販売時の処理の全体的な流れを示すフローチャートである。
【符号の説明】
１０  硬貨処理装置
１１  一時保留機構部
１２  振り分け機構部
１３  硬貨収納部
１４  金庫
１５  返却口
１６  切り替え手段
１７  硬貨処理制御装置
１７ａ  振り分け機構制御部
【図１】
0004839549.tif 000002
【図２】
0004839549.tif 000003
【図３】
0004839549.tif 000004
【図４】
0004839549.tif 000005
【図５】
0004839549.tif 000006
【図６】
0004839549.tif 000007